(57)【要約】【課題】低天井収納室内に対する物品の搬入／搬出時に見栄えが損なわれてしまうことを防止し、なおかつ作業性を高める。【解決手段】所定の部屋２と、当該部屋２に隣接し、部屋２よりも天井高の低い低天井収納室３とを備える収納構造１である。収納構造１は、所定の部屋２と低天井収納室３とを隔てる壁４には、所定の部屋２と低天井収納室３とを連通する開口５が形成されている。低天井収納室３と所定の部屋２には開口５を通過するようにレール６が設けられている。レール６には、当該レール６に沿って物品を移動させる移動体（ワゴン７）が開口５を通過するように移動自在に設けられている。所定の部屋２には、移動体が格納されるスペースを形成するとともに前記レールを目隠しするための家具（戸棚９）が設けられている。【選択図】図１
2016069915.tif 000002
【特許請求の範囲】
【請求項１】
所定の部屋と、当該部屋に隣接し、前記部屋よりも天井高の低い低天井収納室とを備える収納構造において、
前記所定の部屋と前記低天井収納室とを隔てる壁には、前記所定の部屋と前記低天井収納室とを連通する開口が形成されていて、
前記低天井収納室と前記所定の部屋には、前記開口を通過するように延在したレールが設けられていて、
前記レールには、当該レールに沿って物品を移動させる移動体が前記開口を通過するように移動自在に設けられており、
前記部屋には、当該部屋内に前記移動体が格納されるスペースを形成するとともに前記レールを目隠しするための家具が設けられていることを特徴とする収納構造。
【請求項２】
請求項１記載の収納構造において、
前記家具は戸棚であり、当該戸棚内には前記開口の高さと略同じ高さに仕切棚が設けられ、さらに当該仕切棚の下方に前記移動体が格納されるスペースが形成されるとともに前記レールが収納されていることを特徴とする収納構造。
【請求項３】
請求項１記載の収納構造において、
前記家具は、前記開口の高さと略同じ高さに設けられた棚であり、当該棚の下方には、前記移動体が格納されるスペースが形成されるとともに前記レールが配置されていることを特徴とする収納構造。
【請求項４】
所定の部屋と、当該部屋に隣接し、前記部屋よりも天井高の低い低天井収納室とを備える収納構造において、
前記所定の部屋と前記低天井収納室とを隔てる壁には、前記所定の部屋と前記低天井収納室とを連通する開口が形成されていて、
前記低天井収納室と前記所定の部屋には、前記開口を通過するように延在したレールが設けられていて、
前記レールには、当該レールに沿って物品を移動させる移動体が前記開口を通過するように移動自在に設けられており、
前記部屋は、前記移動体が収容されるとともに前記レールを目隠しするための収納室であることを特徴とする収納構造。
【請求項５】
請求項１〜４のいずれか一項に記載の収納構造において、
前記移動体は、物品が収納される収納部を備えることを特徴とする収納構造。
【請求項６】
請求項１〜５のいずれか一項に記載の収納構造において、
前記低天井収納室には、前記レールの近傍で当該レールに沿うように収納棚が設けられていることを特徴とする収納構造。
【発明の詳細な説明】
【技術分野】
【０００１】
本発明は、収納構造に関する。
【背景技術】
【０００２】
近年、建物内部に大型の収納空間である蔵を設けるとともに、この収納空間に隣接する部屋に収納空間への出入り口を設けたものが提案されている。
蔵となる収納室は、例えば、屈んだ状態や頭を下げた状態で人が出入りできる程度の天井高さ（例えば、１４０ｃｍ以下）を有するもので、居室としては使用できないし、ウォークインクローゼットのように普通に立った状態で内部を歩くことができない。すなわち、天井の低い収納用空間となっており、例えば、低天井収納室と称される。
【０００３】
ところで、低天井収納室に対して物品を搬入／搬出する際においては、前述したように屈んだ状態や頭を下げた状態での作業を強いることになるため、住人への負担は大きいものとなってしまう。このため、近年においては、低天井収納室を隔てる壁に出入り口を設け、当該出入り口を介して設備若しくは家具を床上で移動させることで、低天井収納室内に容易に物品の搬入／搬出を行うことができる収納構造が知られている（例えば特許文献１参照）。
【先行技術文献】
【特許文献】
【０００４】
【特許文献１】特開２００４−１００３７３号公報
【発明の概要】
【発明が解決しようとする課題】
【０００５】
しかしながら、低天井収納室を隔てる壁に設けられた出入り口から設備や家具を床上で移動させると、その低天井収納室に隣接する部屋にそれら設備や家具が露出することになり、どうしても見栄えが損なわれてしまう。
本発明の課題は、低天井収納室内に対する物品の搬入／搬出時に見栄えが損なわれてしまうことを防止し、なおかつ作業性を高めることである。
【課題を解決するための手段】
【０００６】
請求項１記載の発明は、例えば図１〜図５に示すように、
所定の部屋２と、当該部屋に隣接し、前記部屋２よりも天井高の低い低天井収納室３とを備える収納構造１において、
前記所定の部屋２と前記低天井収納室３とを隔てる壁４には、前記所定の部屋２と前記低天井収納室３とを連通する開口５が形成されていて、
前記低天井収納室３と前記所定の部屋２には、前記開口５を通過するように延在したレール６が設けられていて、
前記レール６には、当該レール６に沿って物品を移動させる移動体（ワゴン７）が前記開口５を通過するように移動自在に設けられており、
前記部屋２には、当該部屋２内に前記移動体が格納されるスペースを形成するとともに前記レールを目隠しするための家具（戸棚９）が設けられていることを特徴とする収納構造。
【０００７】
請求項１記載の発明によれば、低天井収納室３及び所定の部屋２を繋ぐレール６上に移動体（ワゴン７）が移動自在に設けられているので、レール６によってワゴン７を移動させることで、低天井収納室３に対する物品の搬入／搬出を容易に行うことができる。これ
により、物品の搬入／搬出の作業性を高めることができる。
また、部屋２には、当該部屋２内に移動体が格納されるスペースを形成するとともにレール６を目隠しするための家具が設けられているので、レール６及び当該レール６にある移動体が家具によって隠されることになる。このようにレール６及び移動体が隠されれば、見栄えが損なわれることも防止できる。
したがって、低天井収納室３内に対する物品の搬入／搬出時に見栄えが損なわれてしまうことが防止でき、なおかつ作業性を高めることができる。
【０００８】
請求項２記載の発明は、請求項１記載の収納構造において、例えば図１に示すように、
前記家具は戸棚９であり、当該戸棚９内には前記開口５の高さと略同じ高さに仕切棚９２が設けられ、さらに当該仕切棚９２の下方に前記移動体が格納されるスペースが形成されるとともに前記レール６が収納されていることを特徴としている。
【０００９】
請求項２記載の発明によれば、開口５の高さと略同じ高さの仕切棚９２が戸棚９内に設けられているので、開口５を通過した移動体の移動を仕切棚９２が妨げることがない。つまり、移動体の移動を妨げない位置に配された仕切棚９２上に物品を収納することができ、収納容量を高めることができる。
【００１０】
請求項３記載の発明は、請求項１記載の収納構造において、例えば図４に示すように、
前記家具は、前記開口５の高さと略同じ高さに設けられた棚２０であり、当該棚２０の下方には、前記移動体が格納されるスペースが形成されるとともに前記レール６が配置されていることを特徴としている。
【００１１】
請求項３記載の発明によれば、家具が、開口５の高さと略同じ高さに設けられた棚２０であり、当該棚２０の下方には、移動体が格納されるスペースが形成されるとともにレール６が配置されているので、所定の部屋２が居室であっても当該部屋２に配されたレール６及び当該レール６にある移動体を棚によって目立たなくすることができる。
【００１２】
請求項４記載の発明は、例えば図５に示すように、
所定の部屋２と、当該部屋２に隣接し、前記部屋２よりも天井高の低い低天井収納室３とを備える収納構造１において、
前記所定の部屋２と前記低天井収納室３とを隔てる壁４には、前記所定の部屋２と前記低天井収納室３とを連通する開口５が形成されていて、
前記低天井収納室３と前記所定の部屋２には、前記開口５を通過するように延在したレール６が設けられていて、
前記レール６には、当該レール６に沿って物品を移動させる移動体（ワゴン７）が前記開口５を通過するように移動自在に設けられており、
前記部屋２は、前記移動体が収容されるとともに前記レール６を目隠しするための収納室であることを特徴としている。
【００１３】
請求項４記載の発明によれば、低天井収納室３及び所定の部屋２を繋ぐレール６上に移動体（ワゴン７）が移動自在に設けられているので、レール６によってワゴン７を移動させることで、低天井収納室３に対する物品の搬入／搬出を容易に行うことができる。これにより、物品の搬入／搬出の作業性を高めることができる。
また、部屋２は、移動体が格納されるスペースを形成するとともにレール６を目隠しするための収納室であるので、部屋２の別室である居室や廊下からはレール６及び当該レール６にある移動体を完全に隠すことができる。
したがって、低天井収納室３内に対する物品の搬入／搬出時に見栄えが損なわれてしまうことが防止でき、なおかつ作業性を高めることができる。
【００１４】
請求項５記載の発明は、請求項１〜４のいずれか一項に記載の収納構造において、例えば図１に示すように、
前記移動体は、物品が収納される収納部（収納ボックス８）を備えることを特徴としている。
【００１５】
請求項５記載の発明によれば、移動体が収納部を備えているので、収納部による整理整頓が可能となる。
【００１６】
請求項６記載の発明は、請求項１〜５のいずれか一項に記載の収納構造において、例えば図３に示すように、
前記低天井収納室３には、前記レール６の近傍で当該レール６に沿うように収納棚１０が設けられていることを特徴としている。
【００１７】
請求項６記載の発明によれば、低天井収納室３にレール６の近傍で当該レール６に沿うように収納棚１０が設けられているので、移動体の移動を妨げることがないように収納棚１０を配置することができる。この収納棚１０によって収納容量を高めることができる。
【発明の効果】
【００１８】
本発明によれば、低天井収納室内に対する物品の搬入／搬出時に見栄えが損なわれてしまうことを防止することができ、なおかつ作業性を高めることができる。
【図面の簡単な説明】
【００１９】
【図１】本実施形態に係る収納構造の概略構成を示す正面図である。
【図２】図１の収納構造の概略構成を示す斜視図である。
【図３】収納構造の変形例を示す斜視図である。
【図４】収納構造の変形例を示す斜視図である。
【図５】収納構造の変形例を示す正面図である。
【発明を実施するための形態】
【００２０】
以下、図面を参照して本実施形態に係る収納構造について説明する。
図１は収納構造の概略構成を示す正面図である。図２は、収納構造の概略構成を示す斜視図である。
図１及び図２に示すように、収納構造１は、居室である部屋２と、当該部屋２に隣接し、この部屋２よりも天井高の低い低天井収納室３とを備えている。
部屋２の床２１と低天井収納室３の床３１とは面一となっている。部屋２と低天井収納室３とを隔てる壁４には、部屋２と低天井収納室３とを連通する開口５が形成されている。
また、低天井収納室３の床３１及び部屋２の床２１には開口５を通過するように延在したレール６が設けられている。このレール６には、物品を収容するための複数のワゴン（移動体）７が当該レール６によって開口５を通過するように移動自在に設けられている。具体的に、例えばワゴン７に移動手段として車輪やキャスターなどが取り付けられている場合には、レール６はこれらを案内するためのガイドレールである。なお、レール６は、床面に対して突出していないことが望ましい。
各ワゴン７には、物品を収容する収納ボックス（収納部）８が備えられている。収納ボックス８は１つのワゴン７に対して少なくとも１つ設けられていればよいが、本実施形態では複数段（例えば二段）、ワゴン７に対して着脱自在に重ねられている。ワゴン７に重ねられた複数段の収納ボックス８が通過できる大きさに開口５は形成されている。
【００２１】
部屋２には壁４に接するように戸棚（家具）９が設けられている。戸棚９は、例えば移動可能な家具や、室内に固定されたいわゆるクローゼットが含まれる。戸棚９の内部には
、部屋２に配されたレール６が収容されている。また、戸棚９の壁４側の側面には、開口５と同形状の開口９１が設けられており、この開口９１によって戸棚９の内部と低天井収納室３とが連通している。レール６上を移動したワゴン７及び収納ボックス８は、開口５及び開口９１を介して、戸棚９の内部に進退自在となっている。また、戸棚９内には、開口５，９１の高さと略同じ高さに仕切棚９２がレール６の上方に設けられている。つまり。この仕切棚９２の下方に、ワゴン７が格納されるスペースが形成されるとともに、レール６が収納されることになる。
【００２２】
次に、本実施形態の作用について説明する。
通常、各収納ボックス８は、ワゴン７に重ねられた状態で低天井収納室３内のレール６上に配置されている。このとき、部屋２に配されたレール６は、戸棚９内に収容されているため、戸棚９の扉９３を閉塞した状態であれば目隠しされることになる。
そして、この収納ボックス８を部屋２に移動させる際には、ユーザがレール６上のワゴン７を低天井収納室３側から押したり、戸棚９側から引き出したりすることで、戸棚９内にワゴン７及び収納ボックス８を進入させる。戸棚９内にワゴン７が移動すると、ユーザは部屋２内でワゴン７上の収納ボックス８から物品を取り出す。このとき、収納ボックス８をワゴン７から取り外してもよい。
【００２３】
次いで、戸棚９内の収納ボックス８を低天井収納室３に移動させる際には、ユーザがレール６上のワゴン７を戸棚９側から押したり、低天井収納室３側から引き出したりすることで、ワゴン７及び収納ボックス８を低天井収納室３内に進入させる。
【００２４】
以上のように、低天井収納室３及び部屋２を繋ぐレール６上に、物品を収納するためのワゴン７が移動自在に設けられているので、レール６によってワゴン７を移動させることで、低天井収納室３に対する物品の搬入／搬出を容易に行うことができる。これにより、物品の搬入／搬出の作業性を高めることができる。
また、部屋２には、当該部屋２内にワゴン７が格納されるスペースを形成するとともにレール６を目隠しするための戸棚９が設けられているので、レール６及び当該レール６にあるワゴン７が戸棚９によって隠されることになる。このようにレール６及びワゴン７が隠されれば、見栄えが損なわれることも防止できる。
したがって、低天井収納室３内に対する物品の搬入／搬出時に見栄えが損なわれてしまうことが防止でき、なおかつ作業性を高めることができる。
さらに、レール６が戸棚９で隠されていればレール６上に障害物が置かれることを防止することもでき、ワゴン７の移動が障害物により妨げられることを抑制することができる。
【００２５】
また、物品を収容する収納ボックス８がワゴン７に設けられているので、その収納ボックス８により整理整頓が可能となる。さらに、本実施形態のように複数の収納ボックス８がワゴン７に重ねられていれば、１つのワゴン７でも複数の収納ボックス８による整理整頓が可能となる。また、複数の収納ボックス８が重ねられているだけなので、ワゴン７から収納ボックス８を取り外すことができ、収納ボックス８へ物品を収納する作業も容易に行うことができる。
【００２６】
また、開口５の高さと略同じ高さの仕切棚９２が戸棚９内のレール６の上方に設けられているので、開口５を通過したワゴン７の移動を仕切棚９２が妨げることがない。つまり、ワゴン７の移動を妨げない位置に配された仕切棚９２上に物品を収納することができ、収納容量を高めることができる。
【００２７】
そして、部屋２内に設けられた戸棚９によってレール６が隠されているので、所定の部屋２が居室であっても当該部屋２に配されたレール６及び当該レール６上にあるワゴン７
を戸棚９によって目立たなくすることができる。
【００２８】
なお、本発明は上記実施形態に限らず適宜変更可能である。
例えば、図３に示すように、低天井収納室３には、レール６の近傍で当該レール６に沿うように収納棚１０が設けられていてもよい。これにより、レール６上のワゴン７の移動を妨げることがないように収納棚１０を配置することができる。この収納棚１０によって収納容量を高めることができる。
なお、図３にもあるように収納棚１０の側方に所定の間隔を設けておけば、収納ボックス８を着脱する際の作業を容易に行うことができる。
【００２９】
また、上記実施形態では、本発明に係る棚として戸棚９を例示して説明したが、図４に示すように扉のない棚２０であっても構わない。棚２０は、開口５の高さと略同じ高さに設けられており、当該棚２０の下方にレール６が配置されている。なお、棚２０の奥行きは、ワゴン７及び収納ボックス８の奥行きよりも大きいことが好ましい。
この棚２０においても、棚２０がない場合と比しても、部屋２に配されたレール６やレール６上のワゴン７を目立たなくすることができる。また、レール６上に棚２０が設けられているので、レール６上に障害物が置かれることを抑制することができる。
なお、棚２０は、戸を持たない収納棚の一部の棚を構成するものでもよい。
【００３０】
また、上記実施形態では、本発明に係る家具である戸棚９や棚２０によって、レール６及びレール６にあるワゴン７が目隠しされる場合を例示して説明したが、部屋２自体でレール６を目隠しするようにしてもよい。例えば、図５に示すように、部屋２自体を例えばウォークインクローゼットや納戸などの収納室とすることが挙げられる。このように部屋２がウォークインクローゼットや納戸であれば、この部屋２とは別室である居室や廊下からはレール６及び当該レール６にあるワゴン７を完全に隠すことができる。
【００３１】
また、上記実施形態では、床２１，３１に設けられたレール６を移動するワゴン７を本発明に係る移動体として例示したが、天井面に設置されたレール６に対して吊られた状態で移動する移動体を用いることも可能である。この場合、低天井収納室３内の天井面に対して、例えば上述の仕切棚９２や棚２０の下面（天井面）を面一となるように配置する。そして、低天井収納室３の天井面と仕切棚９２や棚２０の下面とに対してレール６を設ける。このレール６に対して移動自在に移動体を設けることで、低天井収納室３内と仕切棚９２や棚２０の下方のスペースとの間を移動体が移動することができる。
【符号の説明】
【００３２】
１      収納構造
２      部屋
３      低天井収納室
４      壁
５      開口
６      レール
７      ワゴン（移動体）
８      収納ボックス（収納部）
９      戸棚（家具）
１０      収納棚
２０      棚
２１      床
３１      床
９１      開口
９２      仕切棚
９３      扉
【図１】
2016069915.tif 000003
【図２】
2016069915.tif 000004
【図３】
2016069915.tif 000005
【図４】
2016069915.tif 000006
【図５】
2016069915.tif 000007